(57)【要約】【課題】  複数のインクを用いて記録を行う場合にも、異色のインク同士が記録媒体上で重なることによって生じる弊害を極力抑えたインクジェット記録方法およびインクジェット記録システムを提供する。【解決手段】  数段階に量子化された濃度データを所定のドット配置パターンを用いて最終的な２値データに変換する際に、複数のインクにおいて互いに異なるドット配置パターンを用意する。これにより、互いのインクが記録媒体上で重なり合う確立を極力低減することができ、各色インクの発色性を効率的に発揮することが可能となる。【選択図】  図２
2005059364.tif 000002
【特許請求の範囲】
【請求項１】
複数色のインクを吐出する記録ヘッドを用いて記録媒体にカラー画像を形成するインクジェット記録方法において、
多値の濃度データをより低レベルの多値の濃度データに変換する第１の量子化工程と、
該濃度データをデータ値に対応したドット配置パターンを適応させることによって２値データに変換するドット配置パターン化処理を行う第２の量子化工程と、
前記ドット配置パターン化処理によって得られた２値データに応じて前記記録ヘッドにより前記記録媒体にインクを吐出する工程と
を有し、前記第２の量子化工程では、前記複数色のうち少なくとも１色のインクについては、他の色のインクと異なる前記ドット配置パターンが用意されていることを特徴とするインクジェット記録方法。
【請求項２】
複数色のインクを吐出する記録ヘッドを用いて記録媒体にカラー画像を形成するインクジェット記録方法であって、
多値のレベルで表現される各画素に対し、各画素のレベルに対応したドット配置パターンを割当てる工程と、
前記各画素に割当てられたドット配置パターンに基づいて、前記記録ヘッドから前記記録媒体にインクを吐出する工程と、
を有し、前記複数色のうちのある１色のインクについて使用されるドット配置パターンのドット配置は、少なくとも他の１色のインクについて使用されるドット配置パターンのドット配置と排他的な関係にあることを特徴とするインクジェット記録方法。
【請求項３】
複数色のインクを吐出する記録ヘッドを用いて記録媒体にカラー画像を形成するインクジェット記録システムにおいて、
多値の濃度データをより低レベルの多値の濃度データに変換する第１の量子化手段と、
該濃度データをデータ値に対応したドット配置パターンを適応させることによって２値データに変換するドット配置パターン化処理を行う第２の量子化手段と、
前記ドット配置パターン化処理によって得られた２値データに応じて前記記録ヘッドにより前記記録媒体にインクを吐出する手段と
を有し、前記第２の量子化手段は、前記複数色のうち少なくとも１色のインクについては、他の色のインクと異なる前記ドット配置パターンを適応させることを特徴とするインクジェット記録システム。
【請求項４】
前記第１の量子化手段はホストコンピュータに具備され、前記第２の量子化手段は前記記録ヘッドを具備し前記ホストコンピュータに接続したインクジェット記録装置に具備されていることを特徴とする請求項３に記載のインクジェット記録システム。
【請求項５】
複数色のインクを吐出する記録ヘッドを用いて記録媒体にカラー画像を形成するインクジェット記録装置であって、
多値のレベルで表現される各画素に対し、各画素のレベルに対応したドット配置パターンを割当てる手段と、
前記各画素に割当てられたドット配置パターンに基づいて、前記記録媒体に前記記録ヘッドからインクを吐出させる手段と、
を有し、前記複数色のうちのある１色のインクについて使用されるドット配置パターンのドット配置は、少なくとも他の１色のインクについて使用されるドット配置パターンのドット配置と排他的な関係にあることを特徴とするインクジェット記録装置。
【請求項６】
複数色のインクを吐出する記録ヘッドを用いて記録媒体にカラー画像を形成するインクジェット記録方法において、
多値の濃度データをより低レベルの多値の濃度データに変換する第１の量子化工程と、
該濃度データをデータ値に対応したドット配置パターンを適応させることによって２値データに変換するドット配置パターン化処理を行う第２の量子化工程と、
前記ドット配置パターン化処理によって得られた２値データに応じて前記記録ヘッドにより前記記録媒体にインクを吐出する工程と
を有し、前記第２の量子化工程では、前記第１の量子化工程によって得られた同一値に対し、互いに異なる複数の前記ドット配置パターンが所定の配列規則に従って適応され、前記複数色のうち少なくとも１色のインクについては、他の色のインクと異なる前記配列規則が用意されていることを特徴とするインクジェット記録方法。
【請求項７】
複数色のインクを吐出する記録ヘッドを用いて記録媒体にカラー画像を形成するインクジェット記録方法であって、
多値のレベルで表現される各画素に対し、各画素のレベルに対応したドット配置パターンを割当てるに際し、同一のレベルに対応した複数の異なるドット配置パターンの内１つのドット配置パターンを所定の順序であるいはランダムに割当てる割当て工程と、
前記各画素に割当てられたドット配置パターンに基づいて、前記記録ヘッドから前記記録媒体にインクを吐出する工程と、
を有し、前記割当て工程では、前記複数の異なるドット配置パターンの割当て順序が、前記複数色のうちある１色のインクの場合と、少なくとも他の１色のインクの場合とで異なることを特徴とするインクジェット記録方法。
【請求項８】
前記割当て工程では、前記ある１色のインクについて使用されるドット配置パターンのドット配置と、前記他の１色のインクについて使用されるドット配置パターンのドット配置とが同一画素において排他的な関係になるように、前記複数の異なるドット配置パターンを割当てることを特徴とする請求項７に記載のインクジェット記録方法。
【請求項９】
複数色のインクを吐出する記録ヘッドを用いて記録媒体にカラー画像を形成するインクジェット記録システムにおいて、
多値の濃度データをより低レベルの多値の濃度データに変換する第１の量子化手段と、
該濃度データをデータ値に対応したドット配置パターンを適応させることによって２値データに変換するドット配置パターン化処理を行う第２の量子化手段と、
前記ドット配置パターン化処理によって得られた２値データに応じて前記記録ヘッドにより前記記録媒体にインクを吐出する手段と
を有し、前記第２の量子化手段は、前記第１の量子化手段によって得られた同一値に対し、互いに異なる複数の前記ドット配置パターンを所定の配列規則に従って適応させ、前記複数色のうち少なくとも１色のインクについては、他の色のインクと異なる前記配列規則を用意していることを特徴とするインクジェット記録システム。
【請求項１０】
前記第１の量子化手段はホストコンピュータに具備され、前記第２の量子化手段は前記記録ヘッドを具備し前記ホストコンピュータに接続したインクジェット記録装置に具備されていることを特徴とする請求項９に記載のインクジェット記録システム。
【請求項１１】
複数色のインクを吐出する記録ヘッドを用いて記録媒体にカラー画像を形成するインクジェット記録装置であって、
多値のレベルで表現される各画素に対し、各画素のレベルに対応したドット配置パターンを割当てるに際し、同一のレベルに対応した複数の異なるドット配置パターンの内１つのドット配置パターンを所定の順序であるいはランダムに割当てる割当て手段と、
前記各画素に割当てられたドット配置パターンに基づいて、前記記録媒体に前記記録ヘッドからインクを吐出させる手段と
を有し、前記割当て手段は、前記複数の異なるドット配置パターンの割当て順序を、前記複数色のうちのある１色のインクの場合と、少なくとも他の１色のインクの場合とで異ならせることを特徴とするインクジェット記録装置。
【請求項１２】
前記割当て手段は、前記ある１色のインクについて使用されるドット配置パターンのドット配置と、前記他の１色のインクについて使用されるドット配置パターンのドット配置とが同一画素において排他的な関係になるように、前記複数の異なるドット配置パターンを割当てることを特徴とする請求項１１に記載のインクジェット記録装置。
【発明の詳細な説明】
【技術分野】
【０００１】
本発明は、複数のインクを記録媒体に記録することによって、所定の濃度情報を表現可能なインクジェット記録方法、インクジェット記録装置およびインクジェット記録システムに関するものである。
【背景技術】
【０００２】
近年来のパーソナルコンピュータ等情報処理機器の普及に伴い、画像形成端末としての記録装置も急速に発展および普及してきた。そして種々の記録装置の中でも、吐出口からインクを吐出させて紙、布、プラスチックシート、ＯＨＰ用シートなどの記録媒体に記録を行うインクジェット記録装置は、低騒音のノンインパクト型の記録方式であること、高密度かつ高速な記録動作が可能であること、カラー記録にも容易に対応できること、低廉であることなど、極めて優れた特長を有しており、今やパーソナルユースの記録装置の主流となっている。
【０００３】
インクジェット記録技術の進歩は記録の高画質化、高速化、低廉化を促進し、またパーソナルコンピュータやデジタルカメラ（単体でその機能を果たすもののほか、その他の装置、例えば携帯型電話に一体化されるものも含む）の普及とも相俟って、パーソナルユーザにまで記録装置を普及させる効果に寄与すること大であった。しかしそのような広範な普及により、パーソナルユーザからも画質のより一層の向上が求められるようになってきており、特に近年では、家庭で手軽に写真をプリントできるようなプリントシステムおよび銀塩写真に見合う画像の品位が求められて来ている。
【０００４】
いわゆる一般的な銀塩写真と比べた場合、インクジェット記録装置においては、それ特有の粒状感がかねてから問題視されていた。よって近年ではこの粒状感を低減するための様々な対策が提案されており、その様な対策が盛り込まれた記録装置も多く提供されている。たとえば、通常のシアン、マゼンタ、イエローおよびブラックの外に、より濃度の低いライトシアンやライトマゼンタを加えたインクシステムを具備するインクジェット記録装置がある。このようなインクシステムであれば、濃度の低い領域でライトシアンやライトマゼンタを用いることにより、粒状感を低減することができる。また、濃度の高い領域では通常のシアンおよびマゼンタで記録を行うことにより、より広い色再現および滑らかな階調性を実現させることが可能となっている。
【０００５】
更に、記録媒体に着弾されるドットの大きさをより小さく設計して粒状感を低減する方法もあり、このために記録ヘッドに配列する各記録素子から吐出されるインク滴を少量化する技術も進められて来ている。この場合、インク滴の少量化のみならず、より多くの記録素子をより高い配列密度によって構成することにより、記録速度を損なわずに高解像な画像を同時に得ることが可能となっている。
【０００６】
更にまた、銀塩写真の画質に迫るあるいはこれを超えるため、表現可能な色域を拡張することを目的に、レッド（Ｒ）、グリーン（Ｇ）あるいはブルー（Ｂ）のような新たなインク色を加えて記録する記録装置も提案されている。上記Ｒ、Ｇ、およびＢは、いわゆる２次色と呼ばれ、もともとは１次色であるシアン、マゼンタおよびイエローを互いに重ね合わせることにより表現可能な色である。しかし、実際には記録媒体上でこれらの１次色を重ね合わせた段階で、互いの発色効果が低減してしまう傾向があり、２次色を単色で記録した場合のほうが発色性の優れた画像が得られることが一般に知られている。以下、このように記録媒体上での発色性を重視して適用される例えば、レッド、グリーン、ブルーのようなインクを「特色インク」と称することとする。
【０００７】
ところで、記録する画像の濃度を示す多値の階調データを、インク滴を記録媒体に記録するか否かの２値データに変換する、いわゆる２値化処理を行う場合、既に多くの方法が提案および開示されており、基本的にはどのような方法を採用することもできる。ただし、近年のように、記録装置の記録解像度やインク色の種類が増加する傾向にあっては、全色の２値化処理を同一手段、同一工程によって行うには負担が大きすぎる場合がある。よって、例えば、記録装置に接続されたホスト装置にインストールされたプリンタドライバによって、まず数段階の階調にまで低減する量子化処理を行った後に、記録装置の内部で最終的な処理を行うといった、２段階の構成で２値化処理を行う記録装置が近年多く提供されている。この場合、ホスト装置が出力する１画素を、複数段階の濃度によって階調表現することになるので、写真画質のような階調性を重視する用途には好適な方法といえる。
【０００８】
数段階の多値濃度データを２値データに変換する方法は、既にいくつかの提案および実施がなされている（例えば特許文献１参照。）。特許文献１によれば、５段階の階調値を持つ１つの入力画素に対し、２×２のエリアの中で４つのドットの記録・非記録によって階調表現する方法が開示されている。更に同文献によれば、２×２のエリアの中でのドット配置を、同一の階調値に対して複数パターンを用意しておき、これら複数のドット配値パターンを、シーケンシャルにあるいはランダムに配列させる方法も開示されている。この様にすることは、各階調に対するドット配置パターンが固定させないので、擬似中間調処理を行った場合の擬似輪郭や画像のエッジ部に現れるいわゆる「はきよせ現象」などを低減させ、また記録ヘッドに配列された複数の記録素子の使用平均化への効果もあると述べられている。
【０００９】
更に、記録装置の高精度化に対応して、上記技術をより進化させた構成の変換方法も提案されている（例えば特許文献２参照。）。特許文献２によれば、同一色のインク滴を吐出しながらも、互いに異なる特性を持つ２列の記録素子列を有する記録ヘッドを用いたり、記録時間を短縮させるためにカラムごとに記録／非記録を切り替える方法（カラム間引き）を採用したりしながら記録を行う記録装置が開示されている。そして、同一の階調値であっても互いにドット配列の異なる複数のドット配値パターンを用意しておきながら、様々な弊害を起こさない構成にするための、複数のパターンの周期的な配列方法が開示されている。
【００１０】
【特許文献１】特開平９−４６５２２号公報
【特許文献２】特開２００２−２９０９７号公報
【発明の開示】
【発明が解決しようとする課題】
【００１１】
しかしながら、上述した特許文献に代表されるような、数段階の多値濃度データを２値データに変換する従来の方法においては、単色のインクを用いて記録する場合に生じる数々の弊害を克服することは出来たが、複数の色のインクを適用する場合に特有な問題については、何ら配慮もなされていなかった。背景技術の項で説明したように、一般に、互いに異なる色のインク同士が記録媒体上で重なると、それぞれの発色性を低減し合うという現象が起こる。特に、近年のように多数色のインクを同時に適用する場合には、異なる色同士が互いに重なり合う確立も高くなり、重大な問題となるのである。
【００１２】
本発明は上述の問題点を解消するためになされたものであり、その目的とするところは、複数のインクを用いて記録を行う場合にも、異色のインク同士が記録媒体上で重なることによって起きる弊害を極力抑えたインクジェット記録方法、インクジェット記録装置およびインクジェット記録システムを提供することである。
【課題を解決するための手段】
【００１３】
そのために本発明では、複数色のインクを吐出する記録ヘッドを用いて記録媒体にカラー画像を形成するインクジェット記録方法において、多値の濃度データをより低レベルの多値の濃度データに変換する第１の量子化工程と、該濃度データをデータ値に対応したドット配置パターンを適応させることによって２値データに変換するドット配置パターン化処理を行う第２の量子化工程と、前記ドット配置パターン化処理によって得られた２値データに応じて前記記録ヘッドにより前記記録媒体にインクを吐出する工程とを有し、前記第２の量子化工程では、前記複数色のうち少なくとも１色のインクについては、他の色のインクと異なる前記ドット配置パターンが用意されていることを特徴とする。
【００１４】
また、複数色のインクを吐出する記録ヘッドを用いて記録媒体にカラー画像を形成するインクジェット記録方法であって、多値のレベルで表現される各画素に対し、各画素のレベルに対応したドット配置パターンを割当てる工程と、前記各画素に割当てられたドット配置パターンに基づいて、前記記録ヘッドから前記記録媒体にインクを吐出する工程と、を有し、前記複数色のうちのある１色のインクについて使用されるドット配置パターンのドット配置は、少なくとも他の１色のインクについて使用されるドット配置パターンのドット配置と排他的な関係にあることを特徴とする。
【００１５】
また、複数色のインクを吐出する記録ヘッドを用いて記録媒体にカラー画像を形成するインクジェット記録システムにおいて、多値の濃度データをより低レベルの多値の濃度データに変換する第１の量子化手段と、該濃度データをデータ値に対応したドット配置パターンを適応させることによって２値データに変換するドット配置パターン化処理を行う第２の量子化手段と、前記ドット配置パターン化処理によって得られた２値データに応じて前記記録ヘッドにより前記記録媒体にインクを吐出する手段とを有し、前記第２の量子化手段は、前記複数色のうち少なくとも１色のインクについては、他の色のインクと異なる前記ドット配置パターンを適応させることを特徴とする。
【００１６】
また、複数色のインクを吐出する記録ヘッドを用いて記録媒体にカラー画像を形成するインクジェット記録装置であって、多値のレベルで表現される各画素に対し、各画素のレベルに対応したドット配置パターンを割当てる手段と、前記各画素に割当てられたドット配置パターンに基づいて、前記記録媒体に前記記録ヘッドからインクを吐出させる手段と、を有し、前記複数色のうちのある１色のインクについて使用されるドット配置パターンのドット配置は、少なくとも他の１色のインクについて使用されるドット配置パターンのドット配置と排他的な関係にあることを特徴とする。
【００１７】
また、複数色のインクを吐出する記録ヘッドを用いて記録媒体にカラー画像を形成するインクジェット記録方法において、多値の濃度データをより低レベルの多値の濃度データに変換する第１の量子化工程と、該濃度データをデータ値に対応したドット配置パターンを適応させることによって２値データに変換するドット配置パターン化処理を行う第２の量子化工程と、前記ドット配置パターン化処理によって得られた２値データに応じて前記記録ヘッドにより前記記録媒体にインクを吐出する工程とを有し、前記第２の量子化工程では、前記第１の量子化工程によって得られた同一値に対し、互いに異なる複数の前記ドット配置パターンが所定の配列規則に従って適応され、前記複数色のうち少なくとも１色のインクについては、他の色のインクと異なる前記配列規則が用意されていることを特徴とする。
【００１８】
また、複数色のインクを吐出する記録ヘッドを用いて記録媒体にカラー画像を形成するインクジェット記録方法であって、多値のレベルで表現される各画素に対し、各画素のレベルに対応したドット配置パターンを割当てるに際し、同一のレベルに対応した複数の異なるドット配置パターンの内１つのドット配置パターンを所定の順序であるいはランダムに割当てる割当て工程と、前記各画素に割当てられたドット配置パターンに基づいて、前記記録ヘッドから前記記録媒体にインクを吐出する工程と、を有し、前記割当て工程では、前記複数の異なるドット配置パターンの割当て順序が、前記複数色のうちある１色のインクの場合と、少なくとも他の１色のインクの場合とで異なることを特徴とする。
【００１９】
また、複数色のインクを吐出する記録ヘッドを用いて記録媒体にカラー画像を形成するインクジェット記録システムにおいて、多値の濃度データをより低レベルの多値の濃度データに変換する第１の量子化手段と、該濃度データをデータ値に対応したドット配置パターンを適応させることによって２値データに変換するドット配置パターン化処理を行う第２の量子化手段と、前記ドット配置パターン化処理によって得られた２値データに応じて前記記録ヘッドにより前記記録媒体にインクを吐出する手段とを有し、前記第２の量子化手段は、前記第１の量子化手段によって得られた同一値に対し、互いに異なる複数の前記ドット配置パターンを所定の配列規則に従って適応させ、前記複数色のうち少なくとも１色のインクについては、他の色のインクと異なる前記配列規則を用意していることを特徴とする。
【００２０】
更に、複数色のインクを吐出する記録ヘッドを用いて記録媒体にカラー画像を形成するインクジェット記録装置であって、多値のレベルで表現される各画素に対し、各画素のレベルに対応したドット配置パターンを割当てるに際し、同一のレベルに対応した複数の異なるドット配置パターンの内１つのドット配置パターンを所定の順序であるいはランダムに割当てる割当て手段と、前記各画素に割当てられたドット配置パターンに基づいて、前記記録媒体に前記記録ヘッドからインクを吐出させる手段とを有し、前記割当て手段は、前記複数の異なるドット配置パターンの割当て順序を、前記複数色のうちのある１色のインクの場合と、少なくとも他の１色のインクの場合とで異ならせることを特徴とする。
【００２１】
尚、本明細書において「特色」とは、広義には、基本色の記録剤であるイエロー、マゼンタ、シアンの色相とは異なる色のことを指す。また、狭義には、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも高い明度を表現でき、且つ上記任意の２つの記録剤の組み合わせにより表現される色再現領域内の色相角を示す色のことを指すか、あるいは、ＣＩＥ−Ｌ＊ａ＊ｂ＊色空間において、マゼンタ、イエロー、シアンの基本色記録剤のうちの任意の２つの記録剤の組み合わせにより記録媒体上に表現される色再現領域よりも高い明度および彩度を表現でき、且つ上記任意の２つの記録剤の組み合わせにより表現される色再現領域内の色相角を示す色のことを指す。
【００２２】
本発明では、上述した狭義の意味の「特色」の記録剤を使用することが好ましいが、広義の意味の「特色」の記録剤を使用することもできる。
【発明の効果】
【００２３】
本発明によれば、互いに異なる色のインクが記録媒体上で重なり合う確立を極力低減することができるので、各インクの発色性を効率的に発揮することが可能となる。
【発明を実施するための最良の形態】
【００２４】
以下に本発明の実施形態を詳細に説明する。
（第１の実施形態）
図１は、本実施形態で適用する記録システムにおける画像データ変換処理の流れを説明するためのブロック図である。本実施形態で適用するインクジェット記録装置は、シアン（Ｃ）、マゼンタ（Ｍ）、イエロー（Ｙ）、ブラック（Ｋ）の基本色であるインクのほかに、ライトシアン（ＬＣ）、ライトマゼンタ（ＬＭ）および特色であるレッド（Ｒ）によって記録を行うものであり、これら７色のインクを吐出するための記録ヘッドＪ００１０が用意されている。図１に示すように、ここに示す各処理は、記録装置とホスト装置としてのパーソナルコンピュータ(ＰＣ)によって構成されるものとする。
【００２５】
ホスト装置のオペレーションシステムで動作するプログラムとしてアプリケーションやプリンタドライバがあり、アプリケーションＪ０００１は記録装置で記録する画像データを作成する処理を実行する。実際の記録時にはアプリケーションで作成された画像データがプリンタドライバに渡される。
【００２６】
本実施形態におけるプリンタドライバはその処理として、前段処理Ｊ０００２、後段処理Ｊ０００３、γ補正Ｊ０００４、ハーフトーニングＪ０００５、および印刷データ作成Ｊ０００６を有するものとする。ここで、各処理を簡単に説明すると、前段処理Ｊ０００２は色域(Ｇａｍｕｔ)のマッピングを行う。そして、ｓＲＧＢ規格の画像データＲ、Ｇ、Ｂによって再現される色域を、記録装置によって再現される色域内に写像するためのデータ変換を行う。具体的にはＲ、Ｇ、Ｂのそれぞれが８ｂｉｔで表現された２５６階調のデータを３次元のＬＵＴを用いることにより、異なる内容のＲ、Ｇ、Ｂの８ｂｉｔのデータに変換する。
【００２７】
後段処理Ｊ０００３は、上記色域のマッピングがなされたデータＲ、Ｇ、Ｂに基づき、このデータが表す色を再現するインクの組み合わせに対応した色分解データＹ、Ｍ、Ｃ、Ｋ、ＬＣ、ＬＭおよびＲを求める処理を行う。ここでは前段処理と同様に、３次元ＬＵＴにて補間演算を併用して行うものとする。
【００２８】
γ補正Ｊ０００４は、後段処理Ｊ０００３によって求められた色分解データの各色のデータごとにその濃度値(階調値)変換を行う。具体的には、記録装置の各色インクの階調特性に応じた１次元ＬＵＴを用いることにより、上記色分解データが記録装置の階調特性に線形的に対応づけられるような変換を行う。
【００２９】
ハーフトーニングＪ０００５は、８ビットの色分解データＹ、Ｍ、Ｃ、Ｋ、ＬＣ、ＬＭ、Ｒのそれぞれについて４ビットのデータに変換する量子化を行う。本実施形態では、多値誤差拡散法を用いて２５６階調の８ビットデータを、９階調の４ビットデータに変換する。この４ビットデータは、記録装置におけるドット配置のパターン化処理の配置パターンを示すためのインデックスとなるデータ（階調値情報）である。
【００３０】
プリンタドライバで行う処理の最後には、印刷データ作成処理Ｊ０００６によって、上記４ビットのインデックスデータを内容とする印刷イメージ情報に印刷制御情報を加えた印刷データを作成する。
【００３１】
記録装置は、入力されてきた上記印刷データに対し、ドット配置パターン化処理Ｊ０００７およびマスクデータ変換処理Ｊ０００８を行う。
【００３２】
以下に本発明および本実施形態の最も特徴的な部分であるドット配置パターン化処理Ｊ０００７について説明する。上述したハーフトーニングＪ０００５では、２５６値の多値濃度情報（８ビットデータ）を９値の階調値情報（４ビットデータ）までにレベル数を下げている。しかし、実際に本実施形態のインクジェット記録装置が記録できる情報は、インクを記録するか否かの２値情報である。ドット配置パターン化処理Ｊ０００７では、０〜８の多値レベルをドットの有無を決定する２値レベルまで低減する役割を果たす。具体的には、ハーフトーニングＪ０００５からの出力値である４ビットデータに対し、階調値（レベル０〜８）に対応したドット配置パターンを割当てる。
【００３３】
図２は、レベル０〜８に対してそれぞれ変換するドット配値パターンを示している。図の左に示した各レベル値は、ハーフトーン処理部からの出力値であるレベル０〜レベル８に相当している。右側に配列した縦２エリア×横４エリアで構成される各領域は、ハーフトーン処理で出力された１画素（ピクセル）の領域に対応するもので、縦横ともに６００ｐｐｉ（ピクセル／インチ；参考値）の画素密度に対応する大きさとなっている。また、１画素内の各エリアは、ドットの記録・非記録が定義される最小単位に相当するもので、縦が１２００ｄｐｉ（ドット／インチ；参考値）、横が２４００ｄｐｉの記録密度に対応するものである。本実施形態の記録装置では、上記記録密度に対応した、縦が約２０μｍ、横が約１０μｍで表現される１つのエリアに対し、２ｐｌのインク滴が１つ記録されて所望の濃度が得られる様に設計されている。また、縦２エリア×横４エリアに対して、縦方向は記録ヘッドの吐出口が配列する方向であり、エリアの配列密度と吐出口と配列密度とが１２００ｄｐｉという値で一致している。横方向は記録ヘッドの走査方向を示しており、本実施形態では２４００ｄｐｉの密度で記録を行う構成となっている。ドット配置パターン化処理Ｊ０００７においては、このように１画素を形成する複数のエリア各々に対応する記録素子や記録するカラムに対し、「１」または「０」の１ビットの吐出データを配置することにより、そのエリアのドットの記録・非記録を定義している。つまり、多値のレベルで表現される１画素に対し、その画素のレベルに対応したドット配置パターンを割当てるのである。
【００３４】
図２において、丸印を記入したエリアは各色のドットを記録するエリアを示しており、レベル数が上がるに従って、記録するドット数も１つずつ増加している。
【００３５】
本実施形態では、各レベルに対するドット配置パターンを、インク色ごとに異ならせている。すなわち、同一のレベルが入力された場合にも、インク色に応じて互いに異なる配置となるように複数のパターンが用意されている。特に、色域を拡大するために使用される特色のレッドインクについては、レベル４以下において、必ず他の色と重ならないように構成されている。逆に、ほぼ同一の色相角を形成するマゼンタ（Ｍ）とライトマゼンタ（ＬＭ）、シアン（Ｃ）とライトシアン（ＬＣ）および互いに重なり合うことが殆どないイエロー（Ｙ）とブラック（Ｋ）は、それぞれが同一のドット配置パターンを利用するようになっている。
【００３６】
本実施形態では、色域を拡大するために適用されるレッドインクの発色を重視した構成となっている。特に明度の高い低レベル側で、レッドインクのドットが他のインクのドットと重なり合うことを極力抑え、レッドインクの発色効果を確保するように配慮されている。他のインクについては、レベル４以下でレッドインクとは完全に排他の関係でありながら、他のインク色同士も、なるべく重ならないように考慮された配置となっている。以上説明したドット配置パターン化処理Ｊ０００７により、記録媒体上の各エリアに対する各色ドットの記録、非記録が決定する。
【００３７】
次にマスクデータ変換処理Ｊ０００８について簡単に説明する。マスクデータ変換処理Ｊ０００８では、ドット配置パターン化処理Ｊ０００７により決定された各色のドット配列に対し、互いに補完の関係にある複数のマスクパターンを用いてマスクをかける。各マスクパターンによって得られた記録データは、連続する複数の記録走査で記録媒体に記録され、各記録走査の間には、記録ヘッドの記録幅よりも小さい量の副走査が行われる。これにより、記録媒体の同一領域においては、複数の記録走査で異なる記録素子によって順次画像が形成される。以上のような工程によって行う記録を、通常マルチパス記録と称している。マルチパス記録によって得られた画像では、記録素子特有のばらつきによる細かいスジや、副走査のピッチで現れる「つなぎスジ」などの弊害が画像全体に分散されて目立たなくなるので、滑らかで一様な画像を得ることが可能となる。
【００３８】
本実施形態においては、複数の記録モードで適用する複数のマスクデータが記録装置本体内のメモリに格納してあり、マスクデータ変換処理Ｊ０００８においては、当該マスクデータと上述したドット配置パターン化処理の出力信号との間でＡＮＤ処理をかけることにより、各記録走査で実際に吐出させる記録ドットが決定され、出力信号として記録ヘッドＨ１００１の駆動回路Ｊ０００９に入力される。
【００３９】
尚、上記では画像品位を重視するためにマルチパス記録を適用する内容で説明したが、本発明および本実施形態はこれに限定されるものではない。マルチパス記録を適用しない場合には、マスクデータ変換処理Ｊ０００８をスキップした工程とすればよく、ドット配置パターン化処理の出力信号をそのまま駆動回路Ｊ０００９に入力すればよい。
【００４０】
駆動回路Ｊ０００９に入力された各色の１ｂｉｔデータは、記録ヘッドＪ００１０の駆動パルスに変換され、各色の記録ヘッドＪ００１０より所定のタイミングでインクが吐出される。
【００４１】
なお、記録装置における上述のドット配置パターン化処理やマスクデータ変換処理は、それらに専用のハードウエア回路を用い記録装置の制御部を構成するＣＰＵの制御の下に実行されているものとする。
【００４２】
本実施形態においては、色域を拡大するために適用された特色であるレッドインクを、他のインク色とは低レベル側で重ならないようなドット配置パターンとすることに特徴がある。特に、レッドインクと色相が近く、同時に使用されることの多いマゼンタやライトマゼンタ、およびイエローインクのドット配列が、レッドインクと完全に排他的に構成されていることにより、彩度および明度の高い状態でレッドインクの発色を効果的に表現することが可能となるのである。
尚、以上では、色域を拡大するための特色インクとしてレッドインクを用いる構成で説明したが、本発明はこれに限定されるものではない。レッドインク以外にも、例えばブルーインクやグリーンインクのような特色を用いてもよいし、これらを組み合わせた構成にしてもよい。また、特色インク（レッドインク、ブルーインク、グリーンインク等）以外のインクも上述した例に限定されるものではなく、例えば、ライトシアンやライトマゼンタを使用しない構成であってもよい。
【００４３】
図３は、上述したレッドインクに加え、同じく特色であるブルーインクおよびグリーンインクを適用した場合の各色のドット配置パターンを、低レベル側のレベル４まで示した例である。このように、更にインクの種類を多くした場合、低レベル側においても、全ての特色インクに対し、全てのインク色を完全に排他的な構成とすることは困難である。よって、図３においては、レッド、ブルーおよびグリーンのインク色については、完全に排他的ではないが、互いに異なるドット配置パターンの例を示している。
【００４４】
本実施形態の効果は、このように全色が完全に排他的なドット配置パターンで無くとも得られるものである。ドット配置パターンの構成においては、適用するインク色の種類および発色性の特徴などに応じて、各色で適切な関係が保たれていればよく、本実施形態のように、色域を拡大するために用意した特色インクの発色性を重視する場合には、上述したような構成を適用すれば、本発明の効果は十分得られるのである。
【００４５】
なお、以上の説明では特色を用いた例を挙げ、その発色性を効果的に発色することを目的に説明してきたが、本発明は必ずしも特色インクを適用するものでなくても良い。特色インクを適用しないインクシステムであっても、互いのドットが記録媒体上でなるべく重ならないように配置させることは、互いの発色性を効果的に発揮し合うことが可能となる。例えば、特色インクを用いないシステムの一例として、マゼンタ（Ｍ）・ライトマゼンタ（ＬＭ）・シアン（Ｃ）・ライトシアン（ＬＣ）・イエロー（Ｙ）・ブラック（Ｋ）の６色のインクを用いる場合が考えられる。この場合、図２に示したレッド（Ｒ）以外のドット配置パターンを用いることで、各色のドットを極力重ねないようにすることができ、それに伴って、各色の発色性を効果的に発揮させることができる。
【００４６】
以上のことをまとめると、記録装置にて用いられる複数色のうち少なくとも１色のインクについて、他の色のインクとは異なるドット配置パターンを使用することにより、各色の発色性を効果的に発揮させることができるようになる。
【００４７】
また、以上の説明では１画素あたり９階調のレベルを持つ入力濃度データに対し、ドット配置パターン化処理では、縦２エリア×横４エリアの領域で対応する例で説明してきたが、本発明はこの階調およびエリアに限定されるものではない。
【００４８】
（第２の実施形態）
以下に本発明の第２の実施形態について説明する。本実施形態においても画像データ変換処理の流れは、第１の実施形態と同様に図１に示した構成が適用できるものとする。
【００４９】
図４は、本実施形態で適用するドット配置パターンの例を示したものである。図４において、Ａ〜Ｈのパターンはレベル１に対応する８種類のドット配置パターンを示している。ここでは、説明を簡単にするため、レベル１に限定して述べるが、実際にはレベル２以降もレベル１と同様に互いに異なる配列のパターンが用意されているものとする。本実施形態においては、このような同一のレベルに対する互いに異なる複数のドット配置パターンを、同一のインク色で所定の順番にあるいはランダムに対応させる構成となっている。すなわち、同一のレベルが一様に入力された場合、記録媒体上ではＡ〜Ｈに示した８種類のドット配置パターンが上記所定の順番であるいはランダムに配列して記録されるのである。このような構成にしておくことは、上述した特許文献にも記載されるように、ドット配置パターンの上段に位置する記録素子と下段に位置する記録素子とで吐出回数を均等化させる効果や、記録装置特有の様々なノイズを分散させるという効果が得られる。
【００５０】
図５（ａ）〜（ｃ）は、本実施形態で適用するレッドインク（Ｒ）と、レッドインクとはなるべく排他的に設定したいマゼンタインク（Ｍ）、ライトマゼンタインク（ＬＭ）、およびイエロー（Ｙ）インクにおける、ドット配置パターンＡ〜Ｈの記録媒体上での配列例を示したものである。図の縦方向は、個々のドット配置パターンＡ〜Ｈの縦方向、つまり記録ヘッドの記録素子の配列方向と一致している。また、横方向は記録ヘッドの走査方向と一致している。図からも分かるように、本実施形態では、全てのインク色においてＡ〜Ｈのドット配置パターンを用いておきながら、ドット配置パターンの配列順序を各色で互いに異ならせていることに特徴がある。このような構成にしておけば、ある２×４のエリア（図５（ａ）の丸で囲った１画素に対応する領域）で異なる色同士のドットが重なり合ったとしても、他の多くの領域で互いにドットが重なり合うことを阻止することができる。よって、ある程度の広さを持つ領域で判断すれば、特色インクの発色性を効果的に維持することが可能となるのである。尚、図５（ａ）〜（ｃ）は、複数のドット配置パターンＡ〜Ｈを各色でランダムに異ならせて配列させた例となっている。
【００５１】
図６（ａ）〜（ｃ）は、図４に示したＡ〜Ｄの４つのドット配置パターンを用いる配列例を示している。例えば、図６（ａ）はレッドインクのドット配置パターンを示しており、最上段の画素列では、Ａ→Ｂ→Ｃ→Ｄの順で４つのドット配置パターンが巡回している。２段目の画素列では、最上段の画素列に対し右方向に１画素だけシフトした状態で配列しており、３段目以降も同様に隣接する上段に対し１画素ずつ右にシフトして配置した構成となっている。
【００５２】
図６（ｂ）および（ｃ）は、図６（ａ）のレッドインクとはなるべく排他的にドット配置を構成したいインク色（例えば、マゼンタ、ライトマゼンタ、イエロー）の配列例を示したものである。ここで、最上段の画素列では（ｂ）および（ｃ）ともに（ａ）と同一の配列となっている。しかし、２段目〜４段目のラスタにおいては、（ａ）に対し上段からのシフト量が異なっている。（ｂ）では右方向に２画素ずつドット配置パターンがシフトしており、（ｃ）では右方向に−１画素ずつ（左方向に１画素ずつ）ドット配置パターンがシフトしている。このようにシフト量を各色で異ならせれば、図５で説明したランダムな配列と同様に、殆どの部分でドット同士が互いに重ならない状態を実現することができる。その一方で、所定の配列を所定の量ずつシフトすればよいので、図５の場合に比べて、記録装置に格納しておくドット配置パターンに要するメモリを削減することが可能となる。
【００５３】
以上のように、例えばＡ〜Ｄの４種類のドット配置パターンを用いて、互いに異なるドット配列を複数種類作成する方法は、他にもいくつか提案することができる。以下にその例を簡単に説明する。
【００５４】
図７は、図６で説明した方法とは異なる方法で、図６（ａ）のレッドインクとはなるべく排他的な配列を作成する例を示したものである。この方法では、横方向に配列する順番は図６（ａ）と同等にしておきながら、始点（最上で最左端）の画素で適用するドット配置パターンを図６（ａ）とは異ならせていることに特徴がある。例えば図６（ａ）では、始点の画素をドット配置パターンＡで対応し、ここから横方向にＡ→Ｂ→Ｃ→Ｄ→Ａ→Ｂ→Ｃ→Ｄ→の順で各パターンを配列させている。これに対し、図７では、始点の画素をドット配置パターンＣで対応し、ここからＣ→Ｄ→Ａ→Ｂ→Ｃ→Ｄ→Ａ→Ｂ→の順で各パターンを配列させている。続く下の段については、図６（ａ）と同様に、１段下がる毎に隣接する上段に対し１画素ずつ右にシフトしてドット配置パターンを配列させた構成としている。
【００５５】
このように、同じ配置パターンを用いながら、始点を互いに異ならせた状態で配列させた方法は、図６で説明した方法と同様に、記録装置に格納しておくドット配置パターンに要するメモリを小容量に抑えておきながら、レベル１において、すべての領域で排他的な配列を形成することが可能となる。
【００５６】
図８は、図６（ａ）で示した配列例に対し、始点を一致させておきながら、横方向の配列周期を異ならせた場合を示したものである。すなわち、図６（ａ）においては、Ａ〜Ｄの４種類のドット配置パターンを規則的にシフトさせながら配列させているのに対し、図８では、Ａ〜Ｅの５種類のドット配置パターンを用いてこれらを規則的にシフトさせながら配列させている。
【００５７】
以上説明したように、互いに異なるドット配列パターンを作成する方法は様々なものがあり、どのような方法を採用しても本実施形態は有効である。例えば、図６で説明したようにドット配置パターンの配列を各段でシフトさせる場合に、そのシフト量をランダムに変化させても良い。
【００５８】
本実施形態の特徴は、同一の入力信号レベルに対し、複数のドット配置パターン（例えばＡ〜Ｈ）を用意しておきながら、互いに異なるインク色では、これらのドット配置パターンが互いに異なる順序で配列した状態で記録を行うことにある。このような構成は、低レベル側での異色ドット同士が互いに重なり合う確立を極力抑えることが出来る一方で、第１の実施形態に比べ、より広い領域での発色性をより多くのインク色に対し効果的に考慮することができる。
【００５９】
尚、本実施形態においても第１の実施形態と同様、レッドインク以外にも、例えばブルーインクやグリーンインクのような特色を用いてもよいし、これら全てを組み合わせた構成にしてもよい。また、特色インク（レッドインク、ブルーインク、グリーンインク等）以外のインクも上述した例に限定されるものではなく、例えば、ライトシアンやライトマゼンタを使用しない構成であってもよい。  
また、本実施形態においても第１の実施形態と同様に、必ずしも特色インクを適用するものでなくても良い。特色インクを適用しないインクシステムであっても、互いのドットが記録媒体上でなるべく重ならないように配置させることは、互いの発色性を効果的に発揮し合うことが可能となる。
【００６０】
さらに、本実施形態においても第１の実施形態と同様に、１画素あたり９階調のレベルを持つ入力濃度データに対し、縦２エリア×横４エリアの領域で対応する例に限定されるものではない。
【００６１】
更に本実施形態においては、各ドット配置パターンの配列周期においても上述した構成に限定されるものではなく、縦方向および横方向において、より長い周期や短い周期を適用してもよく、記録領域において完全に周期性を持たないような配置にしてもよい。
【００６２】
以上のことをまとめると、同一レベルに対応する複数の異なるドット配置パターンの割当て順序を、複数色のうち少なくとも１色のインクの場合と他の色のインクの場合とで異ならせることにより、各色の発色性を効果的に発揮させることができるようになる。
【００６３】
（その他の構成）
ここで、本発明の上記第１の実施形態、第２の実施形態を実現可能な好適なインクジェット記録装置の構成ついて説明する。なお、以下では、使用するインクとして、シアン、ライトシアン、マゼンタ、ライトマゼンタ、イエロー、ブラックおよびレッドの７色を用いる場合について説明するが、上記各実施形態で説明した通り、使用するインクはこの組合せに限定されるものではない。
【００６４】
（インクジェット装置の機構部の概略構成）
まず、インクジェット記録装置の機構部の概略構成を説明する。本実施形態における記録装置本体は、各機構の役割から、給紙部、用紙搬送部、キャリッジ部、排紙部、クリーニング部およびこれらを保護し、意匠性を持たす外装部から構成されている。以下、これらの概略を説明していく。
【００６５】
図９は、記録装置の斜視図である。また、図１０および図１１は、記録装置本体の内部機構を説明するための図であり、図１０は右上部からの斜視図、図１１は記録装置本体の側断面図をそれぞれ示したものである。
【００６６】
記録装置において給紙を行う際には、まず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが用紙搬送部に搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータの駆動により回転され、この回転により記録媒体がプラテンＭ３０４０上を搬送される。
【００６７】
キャリッジ部は、記録ヘッドＨ１００１を取り付けるためのキャリッジＭ４０００を有しており、キャリッジＭ４０００は、ガイドシャフトＭ４０２０およびガイドレールＭ１０１１によって支持されている。ガイドシャフトＭ４０２０は、シャーシＭ１０１０に取り付けられており、記録媒体の搬送方向に対して直角方向にキャリッジＭ４０００を往復走査させるように案内支持している。また、キャリッジＭ４０００は、シャーシＭ１０１０に取り付けられたキャリッジモータＥ０００１によりタイミングベルトＭ４０４１を介して駆動される。更に、キャリッジＭ４０００には、電気基板Ｅ００１４から記録ヘッドＨ１００１へ、駆動信号を伝えるための不図示のフレキシブルケーブルＥ００１２が接続されている。このような構成において記録媒体に画像形成する場合、搬送方向（カラム方向）に対しては、搬送ローラＭ３０６０およびピンチローラＭ３０７０からなるローラ対が、記録媒体を搬送して位置決めする。また、走査方向（ラスタ方向）に対しては、キャリッジモータＥ０００１によりキャリッジＭ４０００を上記搬送方向と垂直な方向に移動させて、記録ヘッドＨ１００１（図１２）を目的の画像形成位置に配置させる。位置決めされた記録ヘッドＨ１００１は、電気基板Ｅ００１４からの信号に従って、記録媒体に対しインクを吐出する。記録ヘッドＨ１００１についての詳細な構成は後述するが、本実施形態の記録装置においては、記録ヘッドＨ１００１により記録を行いながらキャリッジＭ４０００が走査する記録主走査と、搬送ローラＭ３０６０により記録媒体が搬送される副走査とを交互に繰り返すことにより、記録媒体上に画像を形成していく構成となっている。
【００６８】
最後に画像形成された記録媒体は、排紙部で第１の排紙ローラＭ３１１０と拍車Ｍ３１２０とのニップに挟まれ、搬送されて排紙トレイＭ３１６０に排出される。
【００６９】
なお、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。また、キャップＭ５０１０を開けた状態で、キャップＭ５０１０に残っているインクを吸引することにより、残インクによる固着およびその後の弊害が起こらないように配慮されている。
【００７０】
（記録ヘッド構成）
以下に上記実施形態で適用できるヘッドカートリッジＨ１０００の構成について説明する。ヘッドカートリッジＨ１０００は、記録ヘッドＨ１００１と、インクタンクＨ１９００を搭載する手段、およびインクタンクＨ１９００から記録ヘッドにインクを供給するための手段を有しており、キャリッジＭ４０００に対して着脱可能に搭載される。
【００７１】
図１２は、上記実施形態で適用可能なヘッドカートリッジＨ１０００に対し、インクタンクＨ１９００を装着する様子を示した図である。記録装置は、シアン、ライトシアン、マゼンタ、ライトマゼンタ、イエロー、ブラックおよびレッドの７色のインクによって画像を形成するため、インクタンクＨ１９００も７色分が独立に用意されている。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【００７２】
図１３は、ヘッドカートリッジＨ１０００の分解斜視図を示したものである。図において、ヘッドカートリッジＨ１０００は、第１の記録素子基板Ｈ３６００および第２の記録素子基板Ｈ３６０１、第１のプレートＨ１２００、第２のプレートＨ１４００、電気配線基板Ｈ１３００、タンクホルダーＨ１５００、流路形成部材Ｈ１６００、フィルターＨ１７００、シールゴムＨ１８００などから構成されている。
【００７３】
第１の記録素子基板Ｈ３６００および第２の記録素子基板Ｈ３６０１はＳｉ基板であり、その片面にインクを吐出するための複数の記録素子（ノズル）がフォトリソ技術により形成されている。各記録素子に電力を供給するＡｌ等の電気配線は、成膜技術により形成されており、個々の記録素子に対応した複数のインク流路もまた、フォトリソグラフィ技術により形成されている。さらに、複数のインク流路にインクを供給するためのインク供給口が裏面に開口するように形成されている。
【００７４】
図１４は、第１の記録素子基板Ｈ３６００および第２の記録素子基板Ｈ３６０１の構成を説明するための正面拡大図である。Ｈ４０００〜Ｈ４６００は、それぞれ異なるインク色に対応するノズル列であり、第１の記録素子基板Ｈ４７００には、ライトマゼンタの供給されるノズル列Ｈ４０００、レッドインクの供給されるノズル列Ｈ４１００、ブラックインクの供給されるノズル列Ｈ４２００、およびライトシアンインクの供給されるノズル列Ｈ４３００の４色分のノズル列が構成されている。また、第２の記録素子基板Ｈ３６０１には、シアンインクの供給されるノズル列Ｈ４４００、マゼンタインクの供給されるノズル列Ｈ４５００、およびイエローインクの供給されるノズル列Ｈ４６００の３色分のノズル列が形成されている。
【００７５】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ２に設定されている。また、第１の記録素子基板Ｈ３６００および第２の記録素子基板Ｈ３６０１は第１のプレートＨ１２００に接着固定されており、ここには、第１の記録素子基板Ｈ３６００および第２の記録素子基板Ｈ３６０１にインクを供給するためのインク供給口Ｈ１２０１が形成されている。
【００７６】
さらに、第１のプレートＨ１２００には、開口部を有する第２のプレートＨ１４００が接着固定されており、この第２のプレートＨ１４００は、電気配線基板Ｈ１３００と第１の記録素子基板Ｈ３６００および第２の記録素子基板Ｈ３６０１とが電気的に接続されるように、電気配線基板Ｈ１３００を保持している。
【００７７】
電気配線基板Ｈ１３００は、第１の記録素子基板Ｈ３６００および第２の記録素子基板Ｈ３６０１に形成されている各ノズルからインクを吐出するための電気信号を印加するものであり、第１の記録素子基板Ｈ３６００および第２の記録素子基板Ｈ３６０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【００７８】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。
【００７９】
インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、係合部からのインクの蒸発を防止し得るようになっている。
【００８０】
さらに、前述のようにタンクホルダーＨ１５００、流路形成部材Ｈ１６００、フィルターＨ１７００及びシールゴムＨ１８００から構成されるタンクホルダー部と、第１の記録素子基板Ｈ３６００および第２の記録素子基板Ｈ３６０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている。
【産業上の利用可能性】
【００８１】
本発明は、記録媒体に複数色のインクを記録することによって、所定の濃度情報を表現可能な記録システムに利用することができる。
【図面の簡単な説明】
【００８２】
【図１】本発明の実施形態で適用する記録システムにおける画像データ変換処理の流れを説明するためのブロック図である。
【図２】本発明の第１の実施形態における、レベル０〜８に対するドット配置パターンを示した図である。
【図３】本発明の第１の実施形態におけるブルーインクおよびグリーンインクのドット配置パターンをレベル４まで示した図である。
【図４】本発明の第２の実施形態で適用するドット配置パターンの例を示した図である。
【図５】（ａ）〜（ｃ）は、本発明の第２の実施形態で適用するドット配置パターンの記録媒体上での配列例を示した図である。
【図６】（ａ）〜（ｃ）は、本発明の第２の実施形態で適用可能な４つのドット配置パターンを用いる配列例を示した図である。
【図７】本発明の第２の実施形態で適用可能な４つのドット配置パターンを用いる配列例を示した図である。
【図８】本発明の第２の実施形態で適用可能な５つのドット配置パターンを用いる配列例を示した図である。
【図９】本発明の実施形態で適用可能なインクジェット記録装置の斜視図である。
【図１０】本発明の実施形態で適用可能なインクジェット記録装置の内部機構を説明するための図である。
【図１１】本発明の実施形態で適用可能なインクジェット記録装置の内部機構を説明するための図である。
【図１２】本発明の実施形態で適用可能なヘッドカートリッジとインクタンクの構成図である。
【図１３】本発明の実施形態で適用可能なヘッドカートリッジの分解斜視図である。
【図１４】第１の記録素子基板と、第２の記録素子基板の構成図である。
【符号の説明】
【００８３】
Ｊ０００１    アプリケーション
Ｊ０００２    前段
Ｊ０００３    後段
Ｊ０００４    γ補正
Ｊ０００５    ハーフトーニング
Ｊ０００６    印刷データの作成
Ｊ０００７    ドット配置パターン化処理
Ｊ０００８    マスクデータ変換処理
Ｊ０００９    ヘッド駆動回路
Ｊ００１０    記録ヘッド
Ｍ１０１０    シャーシ
Ｍ１０１１    ガイドレール
Ｍ２０４１    分離ローラ
Ｍ２０６０    給紙トレイ
Ｍ２０８０    給紙ローラ
Ｍ３０００    ピンチローラホルダ
Ｍ３０３０    ペーパーガイドフラッパー
Ｍ３０４０    プラテン
Ｍ３０６０    搬送ローラ
Ｍ３０７０    ピンチローラ
Ｍ３１００    第１の排紙ローラ
Ｍ３１６０    排紙トレイ
Ｍ４０００    キャリッジ
Ｍ４０２０    ガイドシャフト
Ｍ４０４１    タイミングベルト
Ｍ５０００    ポンプ
Ｍ５０１０    キャップ
Ｍ７０３０    アクセスカバー
Ｅ０００１    キャリッジモータ
Ｅ００１２    フレキシブルケーブル
Ｅ００１４    電気基板
Ｈ１０００    ヘッドカートリッジ
Ｈ１００１    記録ヘッド
Ｈ１２００    第１のプレート
Ｈ１２０１    インク供給口
Ｈ１４００    第２のプレート
Ｈ１５００    タンクホルダー
Ｈ１５０１    インク流路
Ｈ１６００    流路形成部材
Ｈ１７００    フィルター
Ｈ１８００    シールゴム
Ｈ１９００    インクタンク
Ｈ３６００    第１の記録素子基板
Ｈ３６０１    第２の記録素子基板
Ｈ４０００    ライトマゼンタノズル列
Ｈ４１００    レッドノズル列
Ｈ４２００    ブラックノズル列
Ｈ４３００    ライトシアンノズル列
Ｈ４４００    シアンノズル列
Ｈ４５００    マゼンタノズル列
Ｈ４６００    イエローノズル列
【図１】
2005059364.tif 000003
【図２】
2005059364.tif 000004
【図３】
2005059364.tif 000005
【図４】
2005059364.tif 000006
【図５】
2005059364.tif 000007
【図６】
2005059364.tif 000008
【図７】
2005059364.tif 000009
【図８】
2005059364.tif 000010
【図９】
2005059364.tif 000011
【図１０】
2005059364.tif 000012
【図１１】
2005059364.tif 000013
【図１２】
2005059364.tif 000014
【図１３】
2005059364.tif 000015
【図１４】
2005059364.tif 000016